(57)【特許請求の範囲】
【請求項１】
ＲＦＩＤタグを検出するように構成された無線周波数検出装置であって、
ＲＦＩＤアンテナと、
ＲＦＩＤリーダ（１３）と、
接続ケーブル（１７）と、
横部品バー（２９ｂ、２９ｃ）と共に閉回路を形成する縦部品バー（２９ａ）と
を備え、
当該検出装置がさらに、２つの隣接するループの間で前記横方向枝部（１４）が共有されるダブルループ回路を形成するように、前記縦部品バー（２９ａ）を接続する横方向枝部（１４）を備える無線周波数検出装置であって、
前記横方向枝部（１４）に沿って同一方向に同時に電流が流れ、一方で前記隣接するループに沿って対向する方向に電流が巡回して流れるように、前記横方向枝部（１４）が、両面プリント回路と、その両側に備わる非導電性の彫り込み（２１）と、を含むことを特徴とする、無線周波数検出装置。
【請求項２】
前記装置の下部に置かれた第１のキャリブレーション部（１５）または固定チューナと、前記装置の上部に置かれた第２のキャリブレーション部（１６）または可変チューナとを備え、それらが所与の共振周波数で動作する電気共振回路として構成されることを特徴とする、請求項１に記載の無線周波数検出装置。
【請求項３】
電磁方式の装置に加えて前記装置を使用できるように、前記アンテナの上側部分に置かれた非誘導性の分離要素（２５）を備えることを特徴とする、請求項１または２のいずれか１項に記載の無線周波数検出装置。
【請求項４】
前記ダブルループ回路が導電性材料で作られた両面プリント回路によって形成されることを特徴とする、請求項１から３のいずれか１項に記載の無線周波数検出装置。
【請求項５】
リベット（２０）によって互いに固定され、両方の導電面（２１）上に銅層の彫り込みを有する、両面プリント回路を備えることを特徴とする、請求項１から４のいずれか１項に記載の無線周波数検出装置。
【請求項６】
前記装置が単一のアンテナパネル（１１）と組み込まれることを特徴とする、請求項１から５のいずれか１項に記載の無線周波数検出装置。
【請求項７】
前記装置がセキュリティゲートに設置されることを特徴とする、請求項１から６のいずれか１項に記載の無線周波数検出装置。
【請求項８】
前記装置がアクセスドアに設置されることを特徴とする、請求項１から７のいずれか１項に記載の無線周波数検出装置。
【発明の詳細な説明】
【技術分野】
【０００１】
本発明は一般に、ＲＦＩＤ方式および／またはＲＦＩＤ／ＥＭ複合方式の盗難防止機能を有する、新しいＲＦＩＤ検出装置に関する。
【０００２】
具体的には、本発明は、無線周波数識別技術を利用しており、パネルの両側でＲＦＩＤタグの通過を検出することのできる特定のアンテナを有する単一のパネルを備える、単一アンテナ式ＲＦＩＤ検出装置（Radio Frequency Identification、無線周波数識別）に関する。
【０００３】
したがって、本発明は、現在、例えば図書館で使用されている、無線周波数検出システム（ＲＦＩＤ）の分野に属する。
【背景技術】
【０００４】
現今、セキュリティゲートを通過する製品の有効な検出を確実にするために、互いに向かい合って配置されて関連するパネル内に組み込まれた、少なくとも２つまたは３つのアンテナが、通例、使用される。
【０００５】
図書館での盗難の危険は、他の公共の場所と同じく、これまで、また現在も、図書または他の製品が事前の許可なくセーフティゲートを通過するときに検出することができる、「電磁気技術」に総括的に属するシステムによって管理・統制されている。
【０００６】
電磁気方式の技術では、製品のセキュリティゲートの通過を検出できるが、製品を識別することはできない。
【０００７】
近年、電磁気方式のシステム（ＥＭ）は無線周波数識別システム（ＲＦＩＤ）に圧倒されつつあるが、その理由は、後者のシステムが効率に優り、パフォーマンスが最良で、通過する製品を正確に識別できることにある。
【０００８】
前記電磁気技術のシステムの最新のＲＦＩＤ技術での置き換えの段階が始まっているが、現在、非ＲＦＩＤの電磁気技術で稼動している多数のシステムが世界中に設置され、使用されている。
【０００９】
例えば、図書館の分野では、現在、約２０万の非ＲＦＩＤシステムが利用されていると推定できる。
【００１０】
現在、盗難防止ドアは一般に、検出システムを収容するパネル内に組み込まれ、地面に固定された、少なくとも２つのアンテナにより形成されている。
【００１１】
何らかのラベル（ＲＦＩＤ技術の場合は電子ラベル、電磁気技術の場合はバーコードラベル）が管理対象の製品に貼付され、前記ラベルが無効化されていない場合は、セキュリティゲートを通過する際に、警報を起動する。逆に、前記ラベルが無効化されている場合は、それらは一切、警報を起動しない。
【００１２】
盗難防止セキュリティゲートは通常、図書館、店舗、または一般的に、その内部で製品が管理されなければならない区域の出口に置かれる。
【００１３】
無線周波数識別による製品の自動検出は、従来のバーコードから進化した、資材または対象物を識別し、位置を特定し、または証明するために電波を使用する技術に基づく。
【００１４】
ＲＤＩＦタグがアンテナの検出領域に入ると、前記タグは、認識に関する情報を提供するために必要なエネルギーを、磁気誘導によって受け取る。
【００１５】
ＲＦＩＤ電子認識ラベルの内部に電源をもたない、いわゆるパッシブシステムは、一般に次の２つの要素で構成される。
ａ）トランスポンダ（電子ラベル）
ｂ）対応するデジタル式読み出し／書き込みアンテナを有する無線周波数リーダ
【００１６】
トランスポンダ、または電子ラベルは、今度は、内部アンテナ、基本の変調回路を含む半導体マイクロチップ、およびメモリにより構成される。
【００１７】
このラベルは管理・認識の対象物（図書、マルチメディア製品、すなわちＣＤ、ＤＶＤ、カセットなど、またはその他のような）に結合される。
【００１８】
トランスポンダの動作を可能にするために必要なエネルギーは、「キャリア」と呼ばれる無線周波数電磁場から電磁誘導によって提供され、電磁場はアンテナのループを通過するときにＤＣ電圧を生成するので、ＲＦＩＤリーダによって前記電磁場が伝送される。
【００１９】
その結果、トランスポンダ（すなわち電子ラベル）に格納された情報が、ラベルが付けられた対象物または製品を正確に識別することができるリーダに伝送される。
【００２０】
例えば、１３．５６ＭＨｚに等しい周波数では、その範囲内で検出を行うことが可能な物理的距離は、数ミリメートルから約１〜２メートルまで、さまざまである。
【００２１】
前述のシステムはまた、電子ラベルのメモリにデジタルモードで書き記された情報によって盗難防止機能と共に使用され、よって、建物から出る許可を受け取るか、または、警報をＯＮ状態にトリガすることができる。
【００２２】
ＲＦＩＤトランスポンダは一般に、次のいくつかの構成部品を組み入れた粘着ラベルの形に作られる小さな構成要素である。
−半導体メモリ、
−ＲＦ変調と伝送のための小型電子構成部品、
−アンテナとして働く、通常、アルミニウム製または銅製の、金属ループ
【００２３】
前記ループは、とても薄い、可撓性で非常にコンパクトな装置を得るために、特別な手順によって作られる。
【００２４】
一般的に言えば、ＲＦＩＤリーダは、アンテナによって、トランスポンダにエネルギーを送り、次いで、磁気変調により受け取られた情報を読み出す無線周波数変調装置と結合された電子マイクロコントローラである。
【００２５】
盗難防止機能もまた有する前記ユニットは、デジタル情報を管理することができ、実際には、リーダは、いわゆる「キャリア」周波数を生成し、通常、ユニット内にインストールされているコンピュータプログラムによって制御される。
【００２６】
したがって、「キャリア」は、トランスポンダによって引き続いて再送される情報を読み出すことができるように前記トランスポンダにエネルギーを伝送するためにリーダによって生成される無線周波数であり、その一方で、「キャリア」信号の周期的な振幅変調を使用して伝送されるデータが符号化され、前記システムに通常使用される周波数は１３．５６ＭＨｚである。
【００２７】
リーダによって生成されるＲＦ電磁場には、３つの役割がある。
−電磁誘導によってトランスポンダのアンテナ内に電力を生成する。
−信号伝送を同期させる。
−トランスポンダから伝送される信号を認識する。
【００２８】
リーダから放出される無線周波数の電磁場に影響される、より多数のトランスポンダを同時に読み取ることもまた可能であり、前記複数読み取りシステムは、いわゆる「アンチコリジョン」技術として知られる。
【００２９】
知られている構造によれば、盗難防止ＲＦＩＤゲートは、その内部にそれぞれのアンテナが挿入されている、互いに向かい合って置かれた２つまたは複数のパネルに結合された、少なくとも２つの検出装置から形成されなければならない。
【００３０】
知られているＲＦＩＤセキュリティゲートでは、アンテナ内部に、その方向が変わらない、次のどちらかが可能である、（電磁場を生成する）電流が流れる。
−２つのアンテナの方向に対して平行な読み取り（添付の図２ｅに示される）を最適化し、これは、アンテナ内の同一方向を有する、アンテナ内の電流（図２ｅの「同相」電流）の循環によって得られる。
−直交方向の読み取り（図２ｆ）を最適化し、これは、アンテナ内を逆方向に通過する電流（図２ｆの「位相反転」電流）により得られる。
【００３１】
したがって、知られている装置は、電子ラベルの特定の配置に対してのみ、優れた動作が可能である。
【発明の概要】
【発明が解決しようとする課題】
【００３２】
実際には、現行のＲＦＩＤ盗難防止装置には、個々のゲートのそれぞれを制御するために、アンテナを組み込んだ２つ以上のパネルの設置が必要であるという欠点がある。
【００３３】
この欠点は、アンテナパネルを複数設置しなければならないことから、設置およびシステムの費用が高額になることも暗示している。
【００３４】
さらに、現行の知られた装置は、連結された複数のパネルを必要とするため、別の幾何学配列を有する設置例に適合させることができない。
【００３５】
知られている装置のもう１つの制限は、検出システムを構成する複数のアンテナパネルの間に接続ケーブルを通すために適切な設備を提供する必要である。
【００３６】
アクセスドアの開口部に多数のアンテナを設置すると、多くの場合、深刻なロジスティック上の問題が発生することになるので、これらの欠点は特に顕在化する。
【課題を解決するための手段】
【００３７】
本発明は、知られている技術に属する前述の欠点をすべて克服することを目標とする。
【００３８】
本発明の主目的の１つは、前述の知られている装置に関して、セキュリティゲートの設置を単純化し、経済性を向上させることのできる無線周波数検出装置を提供することである。
【００３９】
この目標の中で、本発明のさらなる目的は、アンテナを収容する単一のパネルに対してどの位置にあるＲＦＩＤタグでも効率的に検出することのできる装置を提供することである。
【００４０】
さらなる目的は、知られているシステムの空間的な問題を解決する検出装置を提供することである。
【００４１】
本発明の別の目的は、すでに設置され、電磁気技術で、さらにはＲＦＩＤ技術でさえ運用されている検出システムを、運用することのできる検出装置を提供することである。
【００４２】
以下でさらに明らかになる前述の目標および目的は、添付の独立請求項１による無線周波数検出装置により得られる。
【００４３】
本発明による無線周波数検出装置のより詳細な特徴が、従属請求項に開示される。
【００４４】
本願のＲＦＩＤシステムは、知られているシステムの空間の典型的な問題を単純化し、解消するという点で有利である。
【００４５】
本発明による検出装置は、アンテナを収容した単一のパネルに対してどこに位置するＲＦＩＤタグでも３次元で検出できるように電磁場を発生させるという点で有利である。
【００４６】
本発明による無線周波数検出装置は、ＲＦＩＤタグを３次元で、かつ、単一のアンテナパネルの両側で検出することを可能にするという点で、さらに有利である。前記装置の構造は、従来技術に対して設置費用の低減を可能にする。
【００４７】
本発明による装置は、例えば、出入り口、または一般に開口部が提供されたときに、設置の自由度をかなり大きくできるという点で、さらに有利である。
【００４８】
本発明は、例えば、知られている装置の設置に反して、別々のパネルの間にケーブルを通す必要がないので、設置の単純化が可能になるという点で、さらに有利である。
【００４９】
本発明は、ＲＦＩＤ技術とＥＭ技術とを同時に使用することができるので、「複合」運用の提供が可能になるという点で有利である。
【００５０】
実際、本発明によるＲＦＩＤシステムは電磁技術を使用するダブルおよびトリプルのアンテナシステムに重ね合わせることができ、よって、ＲＦＩＤ盗難防止及び電磁気のラベルまたはタグの同時読み出しを得ることができる、効果的で経済的な複合システムが得られる。この結果を得るために、本発明は、すでに設置されている２つのアンテナのうちの１つに基づく「電磁気」システムに重ね合わせられる、ＲＦＩＤ技術での単一のアンテナの使用に必要なものを与える。
【００５１】
本発明は、電磁気技術を組み込んで使用されるとき、以前から設置されているＥＭ盗難防止ゲートを撤去することなく稼動させることを可能にするという点で有利である。
【００５２】
本発明は、検出システムの段階的アップグレード、特にＲＦＩＤ技術への段階的な移行の事例に適するという点で有利である。例えば、図書館では図書に対して、両方の前記セキュリティ技術（ＥＭおよびＲＦＩＤ）のタグを同時に使用することができる。
【００５３】
本発明による発明では、ＲＦＩＤ技術への段階的移行の間、すでに電磁気技術により保護されている製品を保有しておくことができるので、経済的な利点もまた得られる。
【００５４】
本発明は、電磁気技術に基づく既存のシステムと併用して、例えば、２つの異なる盗難防止技術を採用する図書館の間での図書の完全な交換を可能にするという点で、さらに有利である。
【００５５】
添付の図面に示される。本発明の好ましい実施形態の下記の説明から、本発明のさらなる特徴および利点が、より明らかになる。
【００５６】
前記図面は、下記の説明と併せて、本発明の原理を説明するために役立つ。
【図面の簡単な説明】
【００５７】
【図１ａ】本発明による装置の全体図を示す。
【図１ｂ】本発明による装置の全体図を示す。
【図２ａ】２本のアンテナを有する、知られている検出装置の設置例を示す。
【図２ｂ】３本のアンテナを有する、知られている検出装置の設置例を示す。
【図２ｃ】知られている検出装置の構造を示す。
【図２ｄ】知られている検出装置の構造例を示す。
【図２ｅ】知られている検出装置の動作を示す。
【図２ｆ】知られている検出装置の動作を示す。
【図３ａ】本発明による装置の動作中の図を示す。
【図３ｂ】本発明による装置において生じる磁場の図を示す。
【図４】パッシブトランスポンダを使用して、ＲＦＩＤ技術の動作原理を示す。
【図５ａ】本発明による装置の技術的詳細を示す。
【図５ｂ】本発明による装置の別の技術的詳細を示す。
【図５ｃ】本発明の詳細な組み立て図を示す。
【図６ａ】本発明による装置の上部の詳細を示す。
【図６ｂ】装置の上部を示す。
【図７】装置の下部の詳細を示す。
【図８ａ】本発明による装置の可能な設置を示す。
【図８ｂ】本発明による装置のさらなる可能な設置を示す。
【図９ａ】２つのゲートを有するＥＭシステムによる装置の適用例を示す。
【図９ｂ】２つのゲートを有するＥＭシステムによる装置の適用例を示す。
【図９ｃ】３つのゲートを有するＥＭシステムによる装置の適用例を示す。
【発明を実施するための形態】
【００５８】
添付図面を参照すると、本発明の目的である無線周波数検出装置が全体として参照符号１０で示されている。
【００５９】
以下に記載され、添付図面に示される両面プリント回路の使用が、銅／アルミニウムでできた導電性のケーブルまたはロッドなどの、他の組み立て技術の使用を除外しないことに留意すべきである。
【００６０】
前記検出装置１０は、中央に、通路１２に対して平行に配置される横方向枝部１４を有している。
【００６１】
添付の図１を特に参照すると、システムの全体図に、２つの通路１２を監視するための、ＲＦＩＤ技術によるアンテナの単一のパネル１１が含まれている。この図では、検出装置１０およびＲＦＩＤリーダ１３は、プレキシガラス（Plexiglass）で作られた保護構造の内部に置かれている。
【００６２】
装置１０のこの特定の構成により、１つのアンテナパネル１１に組み込まれた単一の検出装置で、電子ＲＦＩＤラベルまたはタグ２２の検出を、前記ラベル２２がゲートを通過する間にどこに置かれていても、効率的に得ることが可能になる。
【００６３】
特に、ラベル２２の通過の３つの考え得る方向、すなわち
−検出装置と平行な方向
−検出装置に対して交軸方向
−通路に対して水平方向
に沿って、製品を検出することが可能である。
【００６４】
この検出の方法は、「３次元法」または「３Ｄ」と呼ばれる。
【００６５】
この結果は、図３ａに示される回路のおかげで得られ、この回路の電流経路が装置１０の２つのループに適切な電磁検出場を発生させる（図３ｂ）からである。
【００６６】
特に、図３ａには、導電回路を通って流れる電流の方向が示されている。
【００６７】
従来技術との、より明瞭で直接的な比較のために、現時点まで使用されている、知られているシステムが添付図面の図２ａから図２ｆに示され、前記システムは、互いに向かい合って配置された少なくとも２枚のアンテナパネル１１を有する。
【００６８】
特に、図２ａに２枚のパネルの構成が示され、図２ｂに３枚のパネルの構成が示されており、図２ｃおよび図２ｄもまた、それぞれ、現在知られている検出装置の見取り図を示す。
【００６９】
図２ｅは知られている検出装置の動作を示し、２つのアンテナの間の同相電流の動きおよび、前記電流によって生成される磁場のパターンが示されている。同様に、図２ｆは知られている検出装置の動作を示し、２つのアンテナの間の反転位相の電流の動きおよび、その結果の磁場のパターンが示されている。
【００７０】
図２ｅと図２ｆは、理解しやすくするために、同じ機能を有する同じ要素を同じ参照番号で示している。
【００７１】
図３ａを特に参照すると、好ましい実施形態によれば、装置１０の主要構成要素は、
−ＲＦＩＤデュアルループアンテナ、
−横方向枝部１４、
−下側キャリブレーション部（固定調整）１５、
−上側キャリブレーション部（可変調整）１６、
−非誘導性分離要素２５（図６ａ）、
−アンテナの一部を銅製リベット２０で固定するための具体物（図５）、
−両面プリント回路に内蔵された、アンテナのいくつかの部分、
−ＲＦＩＤリーダ１３、
−ＲＦＩＤケーブル１７、
である。
【００７２】
装置１０の構造は、銅または他の導電性材料で作られた２層のプリント回路により形成されており、それらの間に平行に置かれ、さらなる部品バー２９ｂおよび２９ｃによって横方向に接続された縦部品バー２９ａにより、閉回路を形成するように、構成されている。前記部品バー２９ａの横方向枝部１４とのさらなる結合により、回路は共通の枝部を有する２つのループに分けられる。
【００７３】
よってシステム全体は、平行で、同じ方向でもある電流の通過を確実にするように中央の位置で電流が逆転する、ダブルループアンテナを備える。
【００７４】
この、装置１０内部の電流経路は、図３ｂに概略的に示される、ＲＦＩＤラベルまたはタグ２２の通過を検出することができる、検出電磁場を生成する。
【００７５】
図３ｂに示される、アンテナの上側回路および下側回路に生じる検出電磁流は、中央の横方向枝部１４内を平行かつ同時に電流が通過する結果として得られる。
【００７６】
さらに、中央の横方向枝部１４に生じる電磁場の方向は、上側ループ内と下側ループ内のどちらにも磁気の流れを生じさせる一因になる。
【００７７】
回路の横方向枝部１４ならびにキャリブレーション部１５および１６は、システムが効果的に機能することを可能にする革新的要素である。
【００７８】
横方向枝部１４は、好ましくは両面プリント回路および両側に備わる非導電性の切開部２１によって、同横方向枝部１４での同時かつ同一方向の電流の通過を可能にする。
【００７９】
ところが、電流は、上側ループと下側ループとに対して、ある循環方向と、それとは逆の方向に流れる。
【００８０】
前述の特徴によって、約１３０ｃｍから１４０ｃｍの距離でＲＦＩＤタグの３次元読み取りが得られるような、検出電磁波の全体的配置を得ることができる。
【００８１】
前記横方向枝部１４およびその他のアンテナ要素はまた、代替の実施形態によれば、銅／アルミニウムでできた導電性のケーブルおよびロッドなど、両面プリント回路について別の技術ではあるが、対応する接続ブリッジと共に平行な電流の通過ならびに、ある循環方向およびそれと逆の循環方向を上側ループおよび下側ループでそれぞれ有する関連する電流を生み出す技術で作られてもよい。
【００８２】
したがって、本発明によれば、検出装置１０はダブルループ回路を形成する横方向枝部１４を有する。前記横方向枝部１４は２つのループに共通であり、２つのアンテナ枝部（銅製の両面プリント回路の両側）において、平行方向に沿って、かつ同一方向に沿って電流が通過するために備えられる。
【００８３】
この特徴により、電磁波の検出を不利にするであろう電流の経路が回避される。
【００８４】
図３ａは、全体として、アンテナ回路内の電流および関連する対向電流を示す。
【００８５】
電気制御ユニットおよびＲＦＩＤリーダ１３がパネル１１の基部に置かれ、検出装置１０は高周波ケーブル１７を介してＲＦＩＤリーダ１３に接続される。
【００８６】
リーダ１３は、アンテナを用いて、ＲＦＩＤラベルまたはタグにエネルギーを伝え、次に、前記ラベルまたはタグから受け取った情報を読み出す。
【００８７】
ＲＦＩＤリーダ１３は、システム全体を管理するための電子制御部分も収容しており、よって、電気ケーブルのみ、および、おそらくＰＣのＥｔｈｅｒｎｅｔ（登録商標）ケーブルを必要とする。
【００８８】
２つの導電面での電流の平行な通過を可能にするので、銅製の両面プリント回路（２９ａ、１５、１４）を使用することが好ましく、これによっても電磁場の産出を増加させる。
【００８９】
銅製の両面プリント回路（ＰＣＢ）で作られた検出装置１０の好ましい実施形態の例が、添付の図５に示されている。
【００９０】
特に、回路の個々の部分と横方向枝部１４との間の接続は、プリント回路の２つの平行な面における電流の正確かつ平行な通過を得るように、好ましくは銅製リベット２０と、銅層の、層の両方の導電性の側面でのエッチングとによって行われる（参照番号２０、２１）。
【００９１】
特に、層の両側の非導電性の切開部２１により、中央の横方向枝部１４に沿った平行な（かつ同一方向の）電流の通過が可能になる。
【００９２】
好ましくは、導電性リベット２０が使用される。その他の締結技術は技術的に類似しており、同じ目的を達成するように使用することができる。
【００９３】
図５ｃは、層の両面の非導電性切開部２１を詳細に示す。
【００９４】
その結果、非常に良好な装置を得ることが可能だが、しかしながら、同じ動作概念を維持しながら他の組み立て方法を使用することも可能であり、例えば、アルミニウム製の導電素子または銅製の可撓性導電材料を使用することが可能である。
【００９５】
添付の図３ａをさらに参照すると、装置１０は１３．５６ＭＨｚの周波数において適切なＱ値でアンテナの電気的共振を可能にする特定の制御システムを備える。
【００９６】
特に、装置１０には、固定下側キャリブレーション部１５ならびに、可変容量素子および固定抵抗素子を有する上側ＲＦキャリブレーション部１６が備わる。
【００９７】
装置１０の上部に置かれる上側キャリブレーション部１６の例が添付の図６ａに示されている。
【００９８】
上側キャリブレーション部１６は、固定抵抗器２６、固定キャパシタ２７、および可変キャパシタ２８で構成される。
【００９９】
導電ループ２５を分離することを考慮した組み立て技法により、金属ループまたは類似の構造が近接して備えられる場合（例えばドアの金属フレーム）に、干渉の程度を低くすることができる。
【０１００】
図６ａに詳細に示される、前記導電性の分離を提供するアンテナの上側部分の組み立て技法は他のアンテナによる電磁誘導を回避し、複合機能への本発明の適用を可能にする。
【０１０１】
図６ａに示される、導電性の分離を有するアンテナ上側部分の特別な組み立て技法により、アンテナを、電磁方式のアンテナなどの他の検出アンテナに重ね合わせるか、非常に制限された距離で並べて置くことが可能になり、よって、重要な適用例のために「複合的」動作状態（図９ａ、図９ｂ、図９ｃ）が得られる。
【０１０２】
実際、前記導電性の分離がない場合は、２つのアンテナ（電磁方式のアンテナとＲＦＩＤアンテナ）の間に導電性の寄生的な誘導が生じて、その結果、前記アンテナの過熱および損傷をもたらすことがある。
【０１０３】
最後に、本発明による無線周波数検出システム１０は、その両側でＲＦＩＤ電子タグ２２の通過を検出し、トリプル構成への置き換えに使用されてもよい。
【０１０４】
ＲＦＩＤタグ２２が装置の検出ゾーンに入ると、磁気誘導を介して、製品の識別の詳細を提供するために必要なエネルギーを受け取り、そして、電子タグに格納された情報がリーダ１３へ送信され、それにより、ラベルを貼付された対象物または製品を正確に特定することが可能になる。
【０１０５】
本発明によるＲＦＩＤシステムはまた、パネル１１に対してどのような位置に置かれた電子ＲＦＩＤタグ２２でも単一の検出装置１０を使用して検出することも可能にする。
【０１０６】
これらの結果は、検出装置１０の特定の形状、および、横方向枝部１４の使用により得られる電流経路によって得られる。
【０１０７】
上側部分におけるループの分離２５を伴うＲＦＩＤアンテナ技術はまた、ＥＭスパイラルアンテナによる電磁誘導を防ぎ、よって誘導に起因する相互干渉および加温を回避することができ、また、同時複合動作を得ることができる（図９ａ、図９ｂ、図９ｃ）。
【０１０８】
上記の説明により、本発明による無線周波数検出装置の特徴が明らかであるとともに、その結果の利点も明らかである。
【０１０９】
最後に、添付の請求項１の保護範囲にすべて収まる、さまざまな実施形態によって前述の装置が実現可能であることは明らかである。
【０１１０】
例えば、アンテナは、銅製の両面プリント回路に関して、どのような場合でも同じ電流の経路を得る、異なる導電性要素で組み立てられ得る。
【０１１１】
また、本発明による装置を、例えば、それぞれ図８ａおよび図８ｂに示されるようにガラス製ドア３６または木製ドア３７に組み込むこともできる。
【０１１２】
また、この装置を、プレキシガラス（Plexiglass）または非導電性の木材などの別の材料の構造またはパネルに組み込むこともできる。
【０１１３】
また、この装置を、複合機能を可能にするように、電磁技術を使用する他のアンテナおよびシステムに直接組み込み、かつ／または重ね合わせることもできる（図９ａ、図９ｂ、図９ｃ）。
【０１１４】
最後に、本発明による装置は、例えば、小売りアウトレット店または他のタイプの公共の場所で、多くの適用を見得る。
【０１１５】
このように考えられた発明は、どのような場合でも、添付の特許請求の範囲の保護範囲にすべて収まる、多数の修正および変形が可能である。
【０１１６】
最後に、起こり得る要求にしたがって、また最新技術に照らして、すべての詳細は他の技術的等価要素に置き換えられてもよく、使用される材料ならびに形状および寸法は異なってもよい。
【図１．ａ】
0006613360.tif 000002
【図１．ｂ】
0006613360.tif 000003
【図２．ａ】
0006613360.tif 000004
【図２．ｂ】
0006613360.tif 000005
【図２．ｃ】
0006613360.tif 000006
【図２．ｄ】
0006613360.tif 000007
【図２．ｅ】
0006613360.tif 000008
【図２．ｆ】
0006613360.tif 000009
【図３．ａ】
0006613360.tif 000010
【図３．ｂ】
0006613360.tif 000011
【図４】
0006613360.tif 000012
【図５．ａ】
0006613360.tif 000013
【図５．ｂ】
0006613360.tif 000014
【図５．ｃ】
0006613360.tif 000015
【図６．ａ】
0006613360.tif 000016
【図６．ｂ】
0006613360.tif 000017
【図７】
0006613360.tif 000018
【図８．ａ】
0006613360.tif 000019
【図８．ｂ】
0006613360.tif 000020
【図９．ａ】
0006613360.tif 000021
【図９．ｂ】
0006613360.tif 000022
【図９．ｃ】
0006613360.tif 000023